(57)【要約】【課題】装置筐体に関し、運用の融通性を高めることを目的とする。【解決手段】フレーム１の開口２を扉体３により開放操作可能に閉塞してなる装置筐体であって、  前記扉体３とフレーム１のいずれか一方には、複数の被係止部４が適宜間隔で形成された屈曲自在な紐状体５が固定され、  他方には、前記被係止部４の一を選択係止可能な係止部６が設けられる。【選択図】  図１
2006348486.tif 000002
【特許請求の範囲】
【請求項１】
フレームの開口を扉体により開放操作可能に閉塞してなる装置筐体であって、
前記扉体とフレームのいずれか一方には、複数の被係止部が適宜間隔で形成された屈曲自在な紐状体が固定され、
他方には、前記被係止部の一を選択係止可能な係止部が設けられる装置筐体。
【請求項２】
前記紐状体は、被係止部と、該被係止部より小径の細径部とを交互に配置して形成される請求項１記載の装置筐体。
【請求項３】
前記係止部は、一端が周縁に開放され、細径部が通過可能なクランク状経路を有するスリットにより形成される請求項２記載の装置筐体。
【請求項４】
フレーム、またはこのフレームに開設された開口を閉塞する扉体のいずれか一方に固定される紐状体と、
他方に固定される係止部材とからなり、
紐状体は、細径部と太径部とを順次屈曲自在に連結して形成され、
係止部材には、前記紐状体の細径部が通過可能で、太径部より細幅のスリットが形成される扉のストッパ装置。
【発明の詳細な説明】
【技術分野】
【０００１】
本発明は、装置筐体に関するものである。
【背景技術】
【０００２】
保守用の開口部を扉体で開放可能に閉塞した電子装置筐体としては、例えば特許文献１に記載されたものが知られている。この従来例において、装置筐体のフレームには先端に球体が固定されたワイヤが連結され、扉体側にはガイド部材が固定される。
【０００３】
ガイド部材には孔が形成され、該孔にワイヤの球体を係止させることにより扉体の開放角度を規制することができる。
【特許文献１】特開２００３-１３８８２６号公報
【発明の開示】
【発明が解決しようとする課題】
【０００４】
しかし、上述した従来例は扉の開放角度の規制がワイヤ長により一律に決定されてしまうために、通常の運用時に比して大きな開放角が必要な作業、例えば、筐体内の保守作業時の作業性が低下する等、運用の融通性が低いという問題がある。
【０００５】
上記問題を解決するために、ワイヤのガイド部材との係止を解除することも可能であるが、この場合、扉体の回転角規制が全く効かなくなるために、かえって作業性が悪化したり、あるいはワイヤの再連結忘れが生じる等の問題がある。
【０００６】
本発明は、以上の欠点を解消すべくなされたものであって、運用の融通性の高い装置筐体の提供を目的とする。
【課題を解決するための手段】
【０００７】
装置筐体はフレーム１の開口２を扉体３により開放操作可能に閉塞して形成され、いずれか一方に紐状体５が連結され、他方に係止部６が固定される。紐状体５は全体として屈曲自在であり、適宜間隔で配置される被係止部４のいずれか一を係止部６に係止させると、紐状体５の一端と係止部６への係止端との間の余裕長により扉体３の開放許容角度が規制される。
【０００８】
係止部６に係止して扉体３の開放許容角度を決定する被係止部４が複数設けられる本発明において、装置筐体への作業内容に応じて係止部６に対する被係止部４を選択するだけで開放許容角度を自由に調整することができる。また、調整後も扉体３の開放許容角度の規制が行われ、規制が完全に解除されるわけではないので、扉体３の拘束解除に基づく作業性の低下が生じない。
【発明の効果】
【０００９】
本発明によれば、作業内容によって扉体の開放許容角度を適宜に変更できるために、運用の融通性を高めることができる。
【発明を実施するための最良の形態】
【００１０】
図１に示すように、装置筐体Ａは正面に開口２を備えたフレーム１と、フレーム１の開口２を閉塞する扉体３から構成される。扉体３は、縦方向一側縁が図外のヒンジによりフレーム１に軸支され、水平回転することができる。
【００１１】
９はストッパ装置であり、扉体３のヒンジ側辺縁に固定される係止部材８と、フレーム１側に固定される紐状体５とからなる。紐状体５は、細径部７と被係止部４とを交互に長手方向に配置してワイヤ状に形成される。この紐状体５は、図２（ａ）に示すように、一端に形成されたワッシャ状の固定リング５ａによりフレーム１に取り付けられる。
【００１２】
この実施の形態において紐状体５は、自由に屈曲させることができる程度に細径のワイヤ上に適宜間隔で球状の太径部材４Ａを固定して形成され、ワイヤ露出部が細径部７に、太径部材４Ａ固定部が被係止部４となる。太径部材４Ａは、ワイヤ上に圧着、あるいは溶着して固定され、必要に応じて、例えばワイヤに結び目を作る等してずれ止めされる。
【００１３】
一方係止部材８は、図２（ｂ）に示すように、水平片８ａの一側端縁から上方に延設される係止片８ｂを有し、水平片８ａの他側縁から下方に延設される固定片８ｃにおいて扉体３裏面に固定される。
【００１４】
係止片８ｂには上縁に開放されるスリット状の係止部６が形成される。図２、３に示すように、係止部６はクランク形状を有し、上記ワイヤ（紐状体５の細径部７）が通過可能で、かつ太径部材４Ａが挿通不能な幅寸法（Ｗ）に形成される。
【００１５】
また、水平片８ａは、扉体３に固定した状態で係止片８ｂと扉体３裏面との間に上記被係止部４が挿通可能な隙間が確保される程度の奥行寸法（Ｌ）に形成される（図３（ｂ）参照）。
【００１６】
したがってこの実施の形態において、使用に際し、一端がフレーム１に固定された紐状体５の太径部材４Ａを係止部材８に係止させるようにして細径部７をスリット６に挿入する。この状態で紐状体５は、図３（ｃ）に示すように、係止部材８への係止部６とフレーム１への固定部が拘束されており、中間部は扉体３とフレーム１との隙間に収納される。これから、図１（ａ）に示すように、扉体３を回転させて適宜回転角に達すると、中間部の遊びがなくなり、扉体３の開放角度が規制される。
【００１７】
この状態から、太径部材４Ａの係止部材８への係止位置を変更すると、図１（ｂ）に示すように、中間部の長さが変わるために、扉体３の開放許容角度が変更される。
【００１８】
図４に紐状体５の変形例を示す。この変形例において紐状体５は、杆部１０ａの両端に球状膨隆部１０ｂが形成された亜鈴状部材１０と、亜鈴状部材１０間を連結する連結部材４Ｂとからなる。連結部材４Ｂは亜鈴状部材１０の球状膨隆部１０ｂが収容可能な両端が閉塞された筒体で、中央部には球状膨隆部１０ｂが挿通可能な膨隆部挿入開口４ａが開設される。
【００１９】
上記膨隆部挿入開口４ａには、連結部材４Ｂの長手方向に向かってスリット状開口４ｂが開設される。スリット状開口４ｂは、上記亜鈴状部材１０の杆部１０ａが挿通可能な幅寸法を有しており、図４（ｂ）の左側に示すように、亜鈴状部材１０の杆部１０ａが水平姿勢を取ることができる位置まで延設される。
【００２０】
紐状体５は、先ず、亜鈴状部材１０の球状膨隆部１０ｂを連結部材４Ｂの膨隆部挿入開口４ａから挿入した後、連結部材４Ｂの終端側に引いて球状膨隆部１０ｂをスリット状開口４ｂに対応させる。球状膨隆部１０ｂのスリット状開口４ｂへの挿通は不能であるために、この状態で亜鈴状部材１０は連結部材４Ｂに脱離不能に連結される。
【００２１】
また同時に、杆部１０ａが挿通自在なスリット状開口４ｂは、図４（ｂ）の右側に示すように、亜鈴状部材１０と連結部材４Ｂとの相対回転のためのスペースを提供する。
【００２２】
このようにして連結部材４Ｂを介して亜鈴状部材１０を順次連結すると、連結部において屈曲可能な紐状体５が構成され、連結部材４Ｂが太径の被係止部４に、亜鈴状部材１０の杆部１０ａが細径部７となる。
【図面の簡単な説明】
【００２３】
【図１】本発明の装置筐体を示す図である。
【図２】ストッパ装置を示す図で、（ａ）は紐状体、（ｂ）は係止部材を示す斜視図である。
【図３】係止部を示す図で、（ａ）は係止部材の正面図、（ｂ）は（ａ）の３Ｂ-３Ｂ線断面図、（ｃ）は閉扉状態でのストッパ装置の収まりを示す断面図である。
【図４】紐状体の変形例を示す図で、（ａ）は正面図、（ｂ）は（ａ）のＣ-Ｃ線断面図、（ｃ）は（ｂ）のＤ-Ｄ線断面図である。
【符号の説明】
【００２４】
１        フレーム
２        開口
３        扉体
４        被係止部
５        紐状体
６        係止部
７        細径部
８        係止部材
【図１】
2006348486.tif 000003
【図２】
2006348486.tif 000004
【図３】
2006348486.tif 000005
【図４】
2006348486.tif 000006